(57)【要約】      （修正有）【課題】トースターの外部から食べ物を観察でき、ユーザーが食べ物の加熱状態を把握でき、また可動仕切り板がケースの内から取り出すことができるトースターを提供する。【解決手段】一つのケース１００の内に一つの作動中空部と一つの加熱中空部１１０を有して、且つケースの側面に一つの第一開口１２０が設けられ、ケースの底部に少なくとも一つの第二開口が設けられる。作動中空部と加熱中空部が互いに連通されて、ケースの中に第二開口の数と同じような数の縦溝が設けられ、縦溝が第二開口から上方に延伸されて、少なくとも一つの透明の可動仕切り板１３０が設けられる。可動仕切り板がケースの底部から上方へ縦溝に滑って連結され、可動仕切り板の側面の一部分が第一開口の中に設置されて、少なくとも一つの位置決め部１５０が設けられ、位置決め部がケースと噛み合って連結されることによって定位されてまたは可動仕切り板を支えるようにした。【選択図】図３
0003183391.tif 000002
【実用新案登録請求の範囲】
【請求項１】
一つのケースの内に一つの作動中空部と一つの加熱中空部を有して、且つ該ケースの側面に一つの第一開口が設けられ、該ケースの底部に少なくとも一つの第二開口が設けられて、該作動中空部と該加熱中空部が互いに連通されて、該ケースの中に第二開口の個数と同じような個数の縦溝が設けられ、該縦溝が第二開口から上方へ延伸されて、少なくとも一つの可動仕切り板が設けられ、該可動仕切り板がケースの底部から上方へ縦溝に滑って連結されて、可動仕切り板の側面の一部分が該第一開口の中に設置されて、少なくとも一つの位置決め部が設けられ、該位置決め部がケースと噛み合って連結されることによって定位されてまたは可動仕切り板を支えるようにしたことを特徴とするトースター。
【請求項２】
前記ケースに一つの底座を有し、前記位置決め部に一つの取っ手座と該取っ手座に活動的に連接される一つの噛合い部とを有し、前記噛合い部を回転して噛合い部と底座との噛合い又は分離が実現されて、前記可動仕切り板が前記取っ手座に固定連接されるようにしたことを特徴とする請求項１に記載のトースター。
【請求項３】
前記噛合い部が取っ手座との間に一つの弾力性部品も設けられるようにしたことを特徴とする請求項２に記載のトースター。
【請求項４】
前記噛合い部がＺ形に設けられるようにしたことを特徴とする請求項２に記載のトースター。
【請求項５】
前記ケースの底部に一つの凹溝が設けられ、前記位置決め部が前記凹溝に配合されて、且つ前記位置決め部の底面と前記ケースの底面がきちんと揃えられるようにしたことを特徴とする請求項１に記載のトースター。
【請求項６】
前記可動仕切り板が透明のガラスに設けられるようにしたことを特徴とする請求項１或いは請求項２或いは請求項３或いは請求項４に記載のトースター。
【請求項７】
前記可動仕切り板と前記ケースの側面との間に一つの断熱ガラス層も設けられるようにしたことを特徴とする請求項６に記載のトースター。
【請求項８】
前記可動仕切り板が一つに設けられるようにしたことを特徴とする請求項７に記載のトースター。
【考案の詳細な説明】
【技術分野】
【０００１】
本考案はトースターに関する。
【背景技術】
【０００２】
伝統のトースターには非透明素材を採用し、ユーザーにたいして使用の状態が観察されず、しかも加熱中空部の仕切り板が取り出せないために、仕切り板の上に殘っている汚れや油汚れを洗浄することが実現されない。或は、仕切り板が取り出されるが、通常に上方から取り出されて又は左方と右方から取り出されて、この取り出し方法で、よく外観のラインの造形を破壊してしまって、美観に影響される。
【考案の概要】
【考案が解決しようとする課題】
【０００３】
本考案は提案したトースターとして、その背景技術の不足を克服している。その課題を解決するための手段は以下を含む。
【課題を解決するための手段】
【０００４】
一つのケースの内に一つの作動中空部と一つの加熱中空部を有して、且つ当ケースの側面に一つの第一開口が設けられ、当ケースの底部に少なくとも一つの第二開口が設けられて、当作動中空部と当加熱中空部が互いに連通されて、当ケースの中に第二開口の個数と同じような個数の縦溝が設けられ、当縦溝が第二開口から上方へ延伸されて、少なくとも一つの透明の可動仕切り板が設けられ、当可動仕切り板がケースの底部から上方へ縦溝に滑って連結されて、可動仕切り板の側面の一部分が当第一開口の中に設置されて、少なくとも一つの位置決め部が設けられ、当位置決め部がケースと噛み合って連結されることによって位置に決められてまたは可動仕切り板を支えるようにしたトースター。
【０００５】
比較的に良い一実施例では、前記ケースに一つの底座を有し、前記位置決め部に一つの取っ手座と当取っ手座に活動的に連接される一つの噛合い部を有し、前記噛合い部を回転して噛合い部と底座との噛合い又は分離が実現されて、前記可動仕切り板が前記取っ手座に固定連接される。
【０００６】
比較的に良い一実施例では、前記噛合い部が取っ手座との間に一つの弾力性部品も設けられる。
【０００７】
比較的に良い一実施例では、前記噛合い部がＺ形に設けられる。
【０００８】
比較的に良い一実施例では、前記ケースの底部に一つの凹溝も設けられ、前記位置決め部が前記凹溝に嵌め込まれて、且つ前記位置決め部の底面と前記ケースの底面がきちんと揃えられる。
【０００９】
比較的に良い一実施例では、前記可動仕切り板が透明のガラスに設けられる。
【００１０】
比較的に良い一実施例では、前記可動仕切り板と前記ケースの側面との間に一つの断熱ガラス層も設けられる。
【００１１】
比較的に良い一実施例では、前記可動仕切り板が一つに設けられる。
【考案の効果】
【００１２】
本考案は背景技術と比べて次の優れ点を持っている。
【００１３】
第一に、可動仕切り板の一部分が当第一開口の中に設置されて、第一開口と透明の可動仕切り板によってトースターの外部から食べ物が観察されて、ユーザーに食べ物の加熱状態を了解させる。当透明の可動仕切り板がケースの底部から上方へ縦溝に滑って連結されて、位置決め部によって定位される。可動仕切り板がケースの内から取り出されて洗えるので、健康や清潔やおいしい食べ物を作る目的に達成されて、また、ケースの底部から可動仕切り板が取り出される方法によってマシン全体の外観造形に影響を与えない。
【００１４】
第二に、位置決め部に一つの取っ手座と当取っ手座に可動的に連接される一つの噛合い部を有し、前記噛合い部を回転して噛合い部と底座との噛合い又は分離が実現されて、当位置決め部の構造が簡単で、低コストで、且つ位置がしっかりに決められる。
【００１５】
第三に、前記ケースの底部に一つの凹溝も設けられ、前記位置決め部が前記凹溝に嵌め込まれて、且つ前記位置決め部の底面と前記ケースの底面がきちんと揃えられることで、全体の位置決め部がトースターの底部に隠れ、マシン全体の構造の美観が保証される。
【００１６】
第四に、可動仕切り板とケースの側面との間に一つの断熱ガラス層も設けられることによって、ユーザーの火傷を防ぐために、安全上の問題が避けられる。
【図面の簡単な説明】
【００１７】
【図１】本考案の比較的に良い一実施例のトースターの可動仕切り板が取り出される状態１を示す図である。
【図２】本考案の比較的に良い一実施例のトースターの可動仕切り板が取り出される状態２を示す図である。
【図３】本考案の比較的に良い一実施例のトースターの位置決め部の正面の立体分解状態を示す図である。
【図４】本考案の比較的に良い一実施例のトースターの位置決め部の裏面の立体分解状態を示す図である。
【図５】本考案の比較的に良い一実施例のトースターの位置決め部のセクション状態１を示す図である。
【図６】本考案の比較的に良い一実施例のトースターの位置決め部のセクション状態２を示す図である。
【図７】本考案の比較的に良い一実施例のトースターの位置決め部のセクション状態３を示す図である。
【考案を実施するための形態】
【００１８】
以下、図を見ながら、本考案の具体的な実施例を説明しよう。
【００１９】
図１から図７までを参照されたい。トースターの比較的に良い一実施例では、トースターに一つのケース１００と、一つの加熱中空部１１０と、一つの作動中空部と、一つの透明の可動仕切り板１３０と、一つの位置決め部１５０と、を具備する。
【００２０】
前記ケース１００の内に一つの作動中空部と一つの加熱中空部１１０を有して、且つ当ケース１００の一側面に一つの第一開口１２０が設けられ、当ケース１００の底部に少なくとも一つの第二開口が設けられて、また当作動中空部と当加熱中空部１１０が互いに連通される。前記ケース１００の内に第二開口の個数と同じような個数の縦溝が設けられ、当縦溝が第二開口から上方へ延伸される。好ましくは、第一の開口１２０に一つのガラスが設置される。
【００２１】
前記可動仕切り板１３０が透明の部材に設けられ、可動仕切り板１３０がケース１００の底部から上方へ縦溝に滑って連結されて、透明の可動仕切り板１３０の一部分が当第一開口１２０の中に設置されて、第一開口１２０と透明の可動仕切り板１３０によってトースターの外部からユーザーに食べ物を観察させて、ユーザーに食べ物の加熱状態を便利に了解させる。本考案の実施例の中、可動仕切り板１３０が一つに設けられるけれども、必要によって可動仕切り板１３０の個数も調整される。また、可動仕切り板１３０がケース１００の内から取り出されて洗えるので、健康や清潔やおいしい食べ物を作る目的に達成されて、また、ケース１００の底部から可動仕切り板１３０が取り出される方法によってマシン全体の外観造形に影響を与えない。
【００２２】
前記位置決め部１５０がケース１００と噛み合って連結されることによって定位されてまたは可動仕切り板１３０を支える。本考案の実施例の中、前記ケース１００に一つの底座１６０を有し、前記位置決め部１５０が底座１６０に噛み合って連結される。前記位置決め部１５０に、一つの取っ手座１５１と、当取っ手座１５１に可動的に連接される一つの噛合い部１５２と、を有し、回転軸１５４が噛合い部１５２の上に設置され、前記噛合い部１５２を回転して噛合い部１５２と底座１６０との噛合い又は分離が実現される。前記可動仕切り板１３０が前記取っ手座１５１に固定連接されて、本考案の実施例の中、可動仕切り板１３０と取っ手座１５１との間にねじ１７０で一緒に連接されて且つ取っ手座１５１が可動仕切り板１３０の下に設置されて、前記噛合い部１５２がＺ形に設けられる。好ましくは、前記噛合い部１５２と前記取っ手座１５１との間に一つの弾力性部品１５３も設けられ、ユーザーの手触り感が増加される。
【００２３】
図５から図７までを参照されたい。ユーザーは可動仕切り板１３０を外して洗う場合、噛合い部１５２だけを押したまま弾力性部品１５３に変形させる同時に、噛合い部１５２に回転軸１５４を回して回転させて、噛合い部１５２に底座１６０から離脱させる。この時、ケース１００の底部から可動仕切り板１３０だけを引き出せてよい。当位置決め部の構造が簡単で、低コストで、且つ位置がしっかり決められる。前記ケース１００の底部に一つの凹溝１８０も設けられ、前記位置決め部１５０が前記凹溝１８０に配合されて、且つ前記位置決め部１５０の底面と前記ケース１００の底面がきちんと揃えられるから、全体の位置決め部１５０がトースターの底部に隠されて、全体の構造の美観が保証される。
【００２４】
本考案の実施例の中、可動仕切り板１３０がガラス１２０に設けられ、外部から見えることで、いつでも加熱されるパンの加熱状態が把握でき、ユーザーに対して使えやすい。好ましくは、可動仕切り板１３０とケース１００の側面との間に一つの断熱ガラス層も設けられることによって、ユーザーの火傷を防ぐために、安全上の問題が避けられる。
【００２５】
以上で述べたのは本考案のわずか一つの具体的な実施の形態にすぎない。しかし、本考案のデザインアイディアはこれに限定されるものではなく、すなわち、本考案のアイディアに基づいて変形させることが可能であり、それらは本考案の範囲から排除するものではない。
【符号の説明】
【００２６】
１００  ケース
１１０  加熱中空部
１２０  第一開口
１３０  可動仕切り板
１５０  位置決め部
１５１  取っ手座
１５２  噛合い部
１５３  弾力性部品
１５４  回転軸
１６０  底座
１７０  ねじ
１８０  凹溝
【図１】
0003183391.tif 000003
【図２】
0003183391.tif 000004
【図３】
0003183391.tif 000005
【図４】
0003183391.tif 000006
【図５】
0003183391.tif 000007
【図６】
0003183391.tif 000008
【図７】
0003183391.tif 000009